(57)【特許請求の範囲】
【請求項１】
基板と、前記基板に実装され、信号端子及びグランド端子を有する電子部品と、前記基板を覆い、前記基板の表面に対向して配置されるリブ形状部を有するハウジングと、を備えた電子機器であって、
前記基板は、前記電子機器の本体に固定されており、
前記基板には、前記本体に設けられた第１軸部が係合する切り欠き部が前記信号端子がある側に形成され、前記切り欠き部は、前記基板の外形から内側に向けて切り欠かれており、
前記基板には、前記本体に設けられた第２軸部が係合する穴部が形成され、
前記リブ形状部は、前記第１軸部から前記第２軸部に向かう方向に沿って配置されており、
前記リブ形状部は、その両端部がそれぞれ前記切り欠き部の底部及び前記穴部よりも外側に突出して配置され、前記電子部品の前記信号端子がある側の前記基板の表面との隙間が前記グランド端子がある側の前記基板の表面との隙間より大きくなるように前記基板の表面に対向して配置されていることを特徴とする電子機器。
【請求項２】
前記基板には、前記電子部品の信号を前記本体に設けられた制御部に伝送する腕部が設けられ、
前記切り欠き部は、前記信号端子と前記腕部との間に配置されていることを特徴とする請求項１に記載の電子機器。
【請求項３】
前記リブ形状部は、前記電子部品の前記信号端子がある側の幅より前記グランド端子がある側の幅が広くなるように形成されていることを特徴とする請求項１又は２に記載の電子機器。
【請求項４】
前記基板は、フレキシブルプリント基板であることを特徴とする請求項１乃至３のいずれか一項に記載の電子機器。
【請求項５】
前記電子部品は、閉じ状態において前記ハウジングの開口部を覆うカバー部材の開閉状態を検知する開閉検知スイッチであることを特徴とする請求項１乃至４のいずれか一項に記載の電子機器。
【請求項６】
基板と、前記基板に実装され、第１の端子及び第２の端子を有する電子部品と、前記基板を覆い、前記基板の表面に対向して配置されるリブ形状部を有するハウジングと、を備えた電子機器であって、
前記基板は、前記電子機器の本体に固定されており、
前記基板には、前記本体に設けられた第１軸部が係合する切り欠き部が前記第１の端子がある側に形成され、前記切り欠き部は、前記基板の外形から内側に向けて切り欠かれており、
前記基板には、前記本体に設けられた第２軸部が係合する穴部が形成され、
前記リブ形状部は、前記第１軸部から前記第２軸部に向かう方向に沿って配置されており、
前記リブ形状部は、その両端部がそれぞれ前記切り欠き部の底部及び前記穴部よりも外側に突出して配置され、前記電子部品の前記第１の端子がある側の前記基板の表面との隙間が前記第２の端子がある側の前記基板の表面との隙間より大きくなるように前記基板の表面に対向して配置されていることを特徴とする電子機器。
【請求項７】
基板と、前記基板に実装され、第１の端子及び第２の端子を有する電子部品と、前記基板を覆い、前記基板の表面に対向して配置されるリブ形状部を有するハウジングと、を備えた電子機器であって、
前記基板は、前記電子機器の本体に固定されており、
前記基板には、前記本体に設けられた第１軸部が係合する切り欠き部が前記第１の端子がある側に形成され、前記切り欠き部は、前記基板の外形から内側に向けて切り欠かれており、
前記基板には、前記本体に設けられた第２軸部が係合する穴部が形成され、
前記リブ形状部は、前記第１軸部から前記第２軸部に向かう方向に沿って配置されており、
前記リブ形状部は、その両端部がそれぞれ前記第１軸部及び前記第２軸部よりも外側に突出して配置され、前記電子部品の前記第１の端子がある側の前記基板の表面との隙間が前記第２の端子がある側の前記基板の表面との隙間より大きくなるように前記基板の表面に対向して配置されていることを特徴とする電子機器。
【請求項８】
前記基板には、前記電子部品の信号を前記本体に設けられた制御部に伝送する腕部が設けられ、
前記切り欠き部は、前記第１の端子と前記腕部との間に配置されていることを特徴とする請求項６又は７に記載の電子機器。
【請求項９】
前記リブ形状部は、前記電子部品の前記第１の端子がある側の幅より前記第２の端子がある側の幅が広くなるように形成されていることを特徴とする請求項６乃至８のいずれか一項に記載の電子機器。
【請求項１０】
前記基板は、フレキシブルプリント基板であることを特徴とする請求項６乃至９のいずれか一項に記載の電子機器。
【請求項１１】
前記電子部品は、閉じ状態において前記ハウジングの開口部を覆うカバー部材の開閉状態を検知する開閉検知スイッチであることを特徴とする請求項６乃至１０のいずれか一項に記載の電子機器。
【発明の詳細な説明】
【技術分野】
【０００１】
本発明は、例えばデジタルカメラやデジタルビデオカメラ等の撮像装置を含む電子機器の防滴構造に関する。
【背景技術】
【０００２】
デジタルカメラ等の電子機器では、高温・高湿度の環境や屋外で使用される場合には、外部から侵入する水滴や電子機器内で結露した水滴により、内部の電子部品が絶縁不良になる可能性がある。
【０００３】
従来、異極導電部材間を隔絶する隔壁及び絶縁壁で囲まれた絶縁スペースを形成し、その絶縁スペースに外部に連通する水抜き穴を穿設した端子装置が提案されている（特許文献１）。この提案では、絶縁スペースにおいて内部の水を水抜き穴から排出し、異極導電部材を収納した端子収納部の間の絶縁状態を良好に保つことができるとしている。
【０００４】
また、モータアクチュエータにおいて、外部下向きに開口するコネクタ開口部に、微小隙間による水誘導通路を設けた技術が提案されている（特許文献２）。この提案では、重力で下向きに流れてきた水滴がコネクタ部位に溜まった際に、水誘導通路から毛細管現象によって外部に排出するとしている。
【先行技術文献】
【特許文献】
【０００５】
【特許文献１】特開平７−８５９２３号公報
【特許文献２】特開２０１４−１３１３８２号公報
【発明の概要】
【発明が解決しようとする課題】
【０００６】
しかし、上記特許文献１では、異極導電部材間に絶縁スペースを確保する必要があるため、装置の大型化を招く。また、ハード基板やフレキシブルプリント基板に実装される小型の電子部品等の端子間に絶縁スペースを確保することは非常に困難であり、絶縁状態を良好に保つことができなくなる。一方、上記特許文献２では、水滴の流れを制御する構成ではないため、結露した水滴が直接コネクタ端子に流れた場合は、絶縁不良が発生するという問題がある。
【０００７】
そこで、本発明は、大型化を招くことなく、外部から侵入する水滴や内部で結露した水滴の流れを制御することで、電子部品の絶縁不良の発生を抑制する電子機器の防滴構造を提供することを目的とする。
【課題を解決するための手段】
【０００８】
上記目的を達成するために、本発明の電子機器は、基板と、前記基板に実装され、信号端子及びグランド端子を有する電子部品と、前記基板を覆い、前記基板の表面に対向して配置されるリブ形状部を有するハウジングと、を備えた電子機器であって、前記基板は、前記電子機器の本体に固定されており、前記基板には、前記本体に設けられた第１軸部が係合する切り欠き部が前記信号端子がある側に形成され、前記切り欠き部は、前記基板の外形から内側に向けて切り欠かれており、前記基板には、前記本体に設けられた第２軸部が係合する穴部が形成され、前記リブ形状部は、前記第１軸部から前記第２軸部に向かう方向に沿って配置されており、前記リブ形状部は、その両端部がそれぞれ前記切り欠き部の底部及び前記穴部よりも外側に突出して配置され、前記電子部品の前記信号端子がある側の前記基板の表面との隙間が前記グランド端子がある側の前記基板の表面との隙間より大きくなるように前記基板の表面に対向して配置されていることを特徴とする。
【発明の効果】
【０００９】
本発明によれば、大型化を招くことなく、外部から侵入する水滴や内部で結露した水滴の流れを制御することで、電子部品の絶縁不良の発生を抑制することができる電子機器の防滴構造を提供することができる。
【図面の簡単な説明】
【００１０】
【図１】（ａ）は本発明の電子機器の第１の実施形態であるデジタルカメラを正面側から見た斜視図、（ｂ）は（ａ）に示すデジタルカメラを背面側から見た斜視図である。
【図２】（ａ）は図１（ｂ）に示すデジタルカメラのカバー部材を開いた状態を示す斜視図、（ｂ）は（ａ）の部分拡大図である。
【図３】図１に示すデジタルカメラの制御系を説明するブロック図である。
【図４】（ａ）はカメラ本体からハウジングを取り外した状態をカメラ本体の背面側から見た斜視図、（ｂ）は（ａ）の部分拡大図である。
【図５】（ａ）はカメラ本体からハウジングを取り外した状態をカメラ本体の正面側から見た斜視図、（ｂ）は（ａ）の部分拡大図である。
【図６】（ａ）は図２（ａ）に示すデジタルカメラの背面側から見た図、（ｂ）は（ａ）のＸ−Ｘ線断面における開閉検知スイッチ周辺の斜視図、（ｃ）は（ａ）のＸ−Ｘ線断面における開閉検知スイッチ周辺の詳細図である。
【図７】（ａ）は図６（ａ）の右側面図、（ｂ）は（ａ）のＺ−Ｚ線断面における開閉検知スイッチ周辺の詳細図である。
【図８】本発明の電子機器の第２の実施形態であるデジタルカメラにおいて、（ａ）は開閉検知スイッチ周辺の斜視図、（ｂ）は開閉検知スイッチ周辺の詳細図である。
【発明を実施するための形態】
【００１１】
以下、図面を参照して、本発明の実施形態を説明する。
【００１２】
（第１の実施形態）
図１（ａ）は本発明の電子機器の第１の実施形態であるデジタルカメラを正面側（被写体側）から見た斜視図、図１（ｂ）は図１（ａ）に示すデジタルカメラを背面側から見た斜視図である。なお、本実施形態では、本発明の電子機器として、撮像装置の一例であるデジタルカメラを例示するが、これに限定されない。
【００１３】
本実施形態のデジタルカメラは、図１（ａ）に示すように、カメラ本体１の正面側にレンズ部２が設けられ、カメラ本体１の正面側から見て左側の側部には、グリップ部３が設けられ、グリップ部３の上部には、レリーズボタン４が設けられている。
【００１４】
カメラ本体１の背面側には、図１（ｂ）に示すように、ＬＣＤ等の表示部６が設けられ、カメラ本体１の背面側から見て左側の上部には、電源スイッチ５が設けられている。また、カメラ本体１の背面側から見て右側の側部には、メモリカード等が着脱可能に装着されるカードスロット部２４（図２参照）を開閉可能に覆うカバー部材７が設けられている。カメラ本体１は、本発明の機器本体の一例に相当する。
【００１５】
図２（ａ）は図１（ｂ）に示すデジタルカメラのカバー部材７を開いた状態を示す斜視図、図２（ｂ）は図２（ａ）の部分拡大図である。
【００１６】
図２に示すように、カバー部材７は、カメラ本体１に対して開閉方向に回動可能に支持され、カバー部材７の裏面には、突起部７ａが形成されている。グリップ部３の内部には、ハウジング８が設けられ、ハウジング８には、カードスロット部２４を露出させる開口部８ｂ、及び開閉検知スイッチ２３を露出させる開口部８ａが形成されている。カードスロット部２４は、開口部８ｂからメモリカードが着脱可能に装着されることで、通信及び記録を行う。開閉検知スイッチ２３は、本発明の電子部品の一例に相当する。
【００１７】
カバー部材７は、閉じることでハウジング８の開口部８ａ，８ｂを覆い、外部環境下における水滴や粉塵がカメラ本体１の内部に侵入することを防止している。そして、カバー部材７をカメラ本体１に対して閉じると、突起部７ａが開口部８ａに挿入されて開閉検知スイッチ２３が押し込まれ、これにより、制御部２０（図３参照）によってカバー部材７が閉じ状態であることが検出される。
【００１８】
また、カメラ本体１に対してカバー部材７を開くと、突起部７ａによる開閉検知スイッチ２３の押し込みが解除され、これにより、制御部２０によってカバー部材７が開き状態であることが検出される。なお、本実施形態では、開閉検知スイッチ２３として、レバータイプのスイッチを用いているが、カバー部材７の開閉を検知できるものであれば、特に限定されない。
【００１９】
図３は、図１に示すデジタルカメラの制御系を説明するブロック図である。図３において、制御部２０は、マイクロコンピュータからなり、カメラの動作や記憶等のカメラ全体の制御を司る。制御部２０には、レリーズボタン４、電源スイッチ５、表示部６、撮像部２１、マウント接点部２２、開閉検知スイッチ２３、カードスロット部２４が電気的に接続されている。制御部２０は、電源スイッチ５のオン信号により起動し、マウント接点部２２を介してレンズ部２との間で通信を行い、また、レンズ部２の合焦制御を行う。
【００２０】
撮像部２１は、レンズ部２を通過した結像した被写体像を光電変換するＣＭＯＳセンサ、ＣＣＤセンサ、ＣＩＤセンサ等の撮像素子を有する。制御部２０は、レリーズボタン４の操作に基づくオン信号を検出すると、撮像部２１に撮像動作を行わせ、画像データとして表示部６に表示するとともにメモリカード等に記録する。
【００２１】
上記一連の撮影動作は、制御部２０が開閉検知スイッチ２３を介してカバー部材７の閉じ状態を検出している間のみ行われる。カバー部材７の開き状態が検出されている状態では、制御部２０は、カメラ本体１の撮像動作及び画像の記録動作は行わない（スリープ状態）。これは、撮影動作及び画像の記録動作中にメモリカードをカードスロット部２４から挿抜させないためである。
【００２２】
図４（ａ）はカメラ本体１からハウジング８を取り外した状態をカメラ本体１の背面側から見た斜視図、図４（ｂ）は図４（ａ）の部分拡大図である。図５（ａ）はカメラ本体１からハウジング８を取り外した状態をカメラ本体１の正面側から見た斜視図、図５（ｂ）は図５（ａ）の部分拡大図である。
【００２３】
図４（ａ）及び図４（ｂ）に示すように、開閉検知スイッチ２３には、カバー板金２３ａ、信号端子２３ｂ、及びＧＮＤ端子（グランド端子）２３ｃが設けられている。開閉検知スイッチ２３は、フレキシブルプリント基板４０（以下、ＦＰＣ４０という）に実装されている。ＦＰＣ４０には、位置決め穴部４０ａ、振れ止め用の切り欠き部４０ｂ、及び開閉検知スイッチ２３の信号を制御部２０まで伝送する腕部４０ｃが設けられている。
【００２４】
カメラ本体１内の本体フレーム４１には、ＦＰＣ４０の位置決め穴部４０ａが係合してＦＰＣ４０を位置決めする位置決め軸部４１ａ、及びＦＰＣ４０の切り欠き部４０ｂが係合してＦＰＣ４０の振れ止めを行う振れ止め軸部４１ｂが形成されている。振れ止め軸部４１ｂは、本発明の第１軸部の一例に相当し、位置決め軸部４１ａは、本発明の第２軸部の一例に相当する。
【００２５】
図４（ｂ）において、矢印Ａは、カメラ本体１の内部結露もしくは外部からカメラ本体１内への水分の侵入により、水滴が流れる流路であり、矢印Ｂは、ＦＰＣ４０に切り欠き部４０ｂを形成していない場合の水滴が流れる流路である。
【００２６】
カバー板金２３ａは、開閉検知スイッチ２３のレバー摺動に対する補強の役割を有し、ＧＮＤ端子２３ｃと電気的に接続されている。開閉検知スイッチ２３のレバーが押し込まれていない場合、信号端子２３ｂとＧＮＤ端子２３ｃとが電気的に接続され、これにより、制御部２０は、開閉検知スイッチ２３のオン信号を基にカバー部材７が開き状態であることを検出する。また、開閉検知スイッチ２３のレバーが押し込まれている場合、信号端子２３ｂとＧＮＤ端子２３ｃは電気的に切り離され、制御部２０は、開閉検知スイッチ２３のオフ信号を基に介してカバー部材７が閉じ状態であることを検出する。
【００２７】
ＦＰＣ４０は、位置決め穴部４０ａ及び切り欠き部４０ｂをそれぞれ本体フレーム４１の位置決め軸部４１ａ及び振れ止め軸部４１ｂに挿入することで、本体フレーム４１に対して位置決めされた状態で不図示の両面テープ等により本体フレーム４１に固定される。開閉検知スイッチ２３は、ＦＰＣ４０に実装されているため、ＦＰＣ４０とともに本体フレーム４１に位置決めされる。
【００２８】
切り欠き部４０ｂは、ＦＰＣ４０の外形から内側に向けて切り欠かれており、切り欠き部４０ｂの平行な二辺によって本体フレーム４１の振れ止め軸部４１ｂに対して回転方向の振れ止めがなされている。また、切り欠き部４０ｂは、腕部４０ｃと信号端子２３ｂとの間を遮るように配置されている。
【００２９】
上記構成において、切り欠き部４０ｂがＦＰＣ４０のフレキ外形まで切り欠かれていない通常の長穴だった場合、腕部４０ｃの流路Ａを流れてきた水滴は、流路Ｂまで流れてくる可能性がある。このとき、カバー板金２３ａと信号端子２３ｂとの間に水滴が進入すると、水滴が媒体となり、信号端子２３ｂとＧＮＤ端子２３ｃとがカバー板金２３ａを介して電気的に接続されることになる。
【００３０】
つまり、制御部２０は、カバー部材７が閉じ状態であるにもかかわらず、開閉検知スイッチ２３からオン信号が出力されて「カバー部材７が開き状態である」と誤検出する可能性がある。よって、切り欠き部４０ｂがＦＰＣ４０の外形まで切り欠かれていることで、流路Ｂの経路を遮断し、水滴から開閉検知スイッチ２３を防ぐ効果がある。
【００３１】
図５（ａ）及び図５（ｂ）において、ハウジング８のＦＰＣ４０と対向する内側の面には、ＦＰＣ４０に近接するリブ形状部８ｃが形成されている。リブ形状部８ｃと開閉検知スイッチ２３周辺との位置関係については、図６乃至図８を用いて詳細に説明する。
【００３２】
図６（ａ）は図２（ａ）に示すデジタルカメラの背面側から見た図、図６（ｂ）は図６（ａ）のＸ−Ｘ線断面における開閉検知スイッチ２３周辺の斜視図、図６（ｃ）は図６（ａ）のＸ−Ｘ線断面における開閉検知スイッチ２３周辺の詳細図である。図７（ａ）は図６（ａ）の右側面図、図７（ｂ）は図７（ａ）のＺ−Ｚ線断面における開閉検知スイッチ２３周辺の詳細図である。
【００３３】
図６（ａ）乃至図６（ｃ）に示すように、ハウジング８がカメラ本体１に組み付けられた状態では、リブ形状部８ｃのＦＰＣ４０の対向面は、ＦＰＣ４０に近接配置される。このとき、図６（ｃ）に示すように、リブ形状部８ｃの上端部８ｄ側は、切り欠き部４０ｂに挿入された振れ止め軸部４１ｂに沿って近接配置され、上端部８ｄは、ＦＰＣ４０の外形の一部である切り欠き部４０ｂの底部より外側に突出して配置されている。また、リブ形状部８ｃの下端部８ｅ側は、位置決め穴部４０ａに挿入された位置決め軸部４１ａに沿って近接配置され、下端部８ｅは、ＦＰＣ４０の下側の外形から外側に突出して配置されている。即ち、リブ形状部８ｃは、その両端部がそれぞれＦＰＣ４０の外形から外側に突出して配置されている。
【００３４】
図７（ａ）及び図７（ｂ）に示すように、リブ形状部８ｃのＦＰＣ４０の表面に対向する面は、ＦＰＣ４０の表面に対して角度ｂを持って近接配置されている。具体的には、リブ形状部８ｃは、開閉検知スイッチ２３の信号端子２３ｂに近い側の上端部８ｄとＦＰＣ４０の表面との隙間がＧＮＤ端子２３ｃに近い側の下端部８ｅとＦＰＣ４０の表面との隙間より大きくなようにＦＰＣ４０に対して近接配置されている。
【００３５】
上記構成により、図６（ｂ）に示すように、リブ形状部８ｃは、矢印Ｃの方向に流れてくる水滴が矢印Ｄ（破線で示す）の方向に流れて信号端子２３ｂに流れ込むことを抑制することができる。これは、リブ形状部８ｃは、ＦＰＣ４０の表面に対して角度を持って近接配置されているため、毛細管現象により矢印Ｅの方向へ水滴を誘導し、信号端子２３ｂから遠ざける効果があるためである。これにより、信号端子２３ｂとＧＮＤ端子２３ｃがカバー板金２３ａを介して電気的に接続されることをより効果的に抑制し、開閉検知スイッチ２３を防滴する効果を高めている。
【００３６】
以上説明したように、本実施形態では、大型化を招くことなく、外部から侵入する水滴や内部で結露した水滴の流れを制御することで、開閉検知スイッチ２３の絶縁不良の発生を抑制して短絡を防ぐことができるデジタルカメラの防滴構造を提供することができる。
【００３７】
（第２の実施形態）
次に、図８を参照して、本発明の電子機器の第２の実施形態であるデジタルカメラについて説明する。本実施形態では、上記第１の実施形態に対して重複又は相当する部分については、図に同一符号を付して相違点についてのみ説明する。
【００３８】
図８（ａ）は開閉検知スイッチ２３周辺の斜視図、図８（ｂ）は開閉検知スイッチ２３周辺の詳細図である。図８（ａ）及び図８（ｂ）は、それぞれ図６（ｂ）及び図６（ｃ）に対応している。
【００３９】
上記第１の実施形態では、リブ形状部８ｃの上端部８ｄ及び下端部８ｅの幅寸法を略同一としているが、本実施形態では、図８（ａ）及び図８（ｂ）に示すように、リブ形状部８ｃの上端部８ｄの幅Ｓより下端部８ｅの幅Ｗを広くしている。これにより、リブ形状８ｃの上端部８ｄと振れ止め軸部４１ｂとの間から流入してリブ形状部８ｃの下端部８ｅに向かう水滴を誘導する毛細管現象をより効果的に発生させることが可能となる。この結果、上記第１の実施形態に比べて水滴を素早く信号端子２３ｂから遠ざける効果がある。その他の構成、及び作用効果は、上記第１の実施形態と同様である。
【００４０】
なお、本発明の構成は、上記各実施形態に例示したものに限定されるものではなく、材質、形状、寸法、形態、数、配置箇所等は、本発明の要旨を逸脱しない範囲において適宜変更可能である。
【００４１】
例えば、上記各実施形態では、リブ形状部８ｃを略Ｉ形状としたが、これに限定されず、同様の効果を有するリブ形状部であれば、例えばＬ字、十字、ロ字、コ字形状等であってもよい。また、上記各実施形態では、基板として、ＦＰＣ４０を例示したが、電子部品が実装されるハード基板であってもよい。
【符号の説明】
【００４２】
１  カメラ本体
２  レンズ部
８  ハウジング
８ｃ  リブ形状部
２３  開閉検知スイッチ
２３ｂ  信号端子
２３ｃ  ＧＮＤ端子
４０  ＦＰＣ
【図１】
0006789674.tif 000002
【図２】
0006789674.tif 000003
【図３】
0006789674.tif 000004
【図４】
0006789674.tif 000005
【図５】
0006789674.tif 000006
【図６】
0006789674.tif 000007
【図７】
0006789674.tif 000008
【図８】
0006789674.tif 000009